(57)【要約】【課題】ユーザが特定の場所に設置されている機器を利用する必要がなく、希望する書籍の音声情報を簡単に入手できる書籍音声情報提供システムを提供する。【解決手段】書籍音声情報提供システム１は、書籍音声情報管理サーバ２と、ユーザが利用する携帯電話機３とで構成される。書籍音声情報管理サーバ２は、書籍に記載された文章を人間が朗読して音声化した情報（音声情報）が記録された書籍音声情報データベース４と、書籍音声情報データベース４に記録された書籍の音声情報のうち、携帯電話機３から送信される要求情報で特定された書籍の音声情報を携帯電話機３にインターネット９を介して送信する書籍音声情報送信手段５と、書籍音声情報データベース４に記録された書籍の案内情報を音声で携帯電話機３にインターネット９を介して送信する書籍音声案内情報送信手段６とを有する。【選択図】図１
2010191356.tif 000002
【特許請求の範囲】
【請求項１】
書籍に記載された内容の音声情報が記録された書籍音声情報記録手段と、
該書籍音声情報記録手段に記録された前記音声情報を要求する要求情報を、音声情報再生手段を有するユーザ端末から通信回線を介して受信する要求情報受信手段と、
前記書籍音声情報記録手段に記録された音声情報のうち、前記要求情報受信手段によって受信した要求情報で特定された書籍の音声情報を、前記ユーザ端末に通信回線を介して送信する書籍音声情報送信手段とを有する書籍音声情報管理サーバを備える
書籍音声情報提供システム。
【請求項２】
一つの書籍についての前記音声情報は、前記ユーザ端末から選択可能に複数の人間の声で構成される
請求項１に記載の書籍音声情報提供システム。
【請求項３】
前記要求情報がユーザの声で構成される
請求項１または請求項２に記載の書籍音声情報提供システム。
【請求項４】
前記書籍音声情報管理サーバは、前記書籍音声情報記録手段に記録された書籍の案内情報を音声で前記ユーザ端末に通信回線を介して送信する書籍音声案内情報送信手段を有する
請求項１〜３のいずれか１つに記載の書籍音声情報提供システム。
【請求項５】
音声情報再生手段と、
書籍に記載された内容の音声情報を要求する要求情報を書籍音声情報管理サーバに通信回線を介して送信する要求情報送信手段とを有するユーザ端末と、
書籍に記載された内容の音声情報が記録された書籍音声情報記録手段と、
該書籍音声情報記録手段に記録された音声情報のうち、前記要求情報送信手段によって送信された要求情報で特定された書籍の音声情報を、前記ユーザ端末に通信回線を介して送信する書籍音声情報送信手段とを有する書籍音声情報管理サーバとを備える
書籍音声情報提供システム。
【発明の詳細な説明】
【技術分野】
【０００１】
本発明は書籍音声情報提供システムに関する。詳しくは、書籍に記載された文章を読み上げた音声情報を提供する書籍音声情報提供システムに係るものである。
【背景技術】
【０００２】
例えば、特許文献１には、図２のような、書籍に印刷された印刷文字情報を撮像装置により読取り、読取った記載内容を電子合成音声で提供する分離型自動読書機が記載されている。図２（ａ）は書籍の印刷文字の情報を読取る文字読取装置１１０を示し、図２（ｂ）は読取った記載内容を音声で提供する音声合成装置１２０を示す。書籍の内容を読取る文字読取装置１１０には、引出し式の原稿台１１１、操作盤１１２、ＩＣメモリーカード挿入口１１３、原稿台１１１に載置し難い新聞あるいは雑誌などの原稿Ｐを読取るハンディスキャナー１１４などが配置されている。
また、分離型自動読書機の動作であるが、原稿台１１１の上に冊子原稿Ｂを開いた状態で載置し、原稿台１１１を文字読取装置の本体１１０の中へ押し込むと同時に、ＩＣメモリーカード挿入口１１３にＩＣメモリーカード１０３を矢印ａの方向に装着する。次に、操作盤１１２のキー操作によりＯＣＲ装置（図示せず。）が読取動作を行ない、改ページの際にはページめくり装置（図示せず。）により改ページが行なわれる。読取られたデータは、Ａ／Ｄ変換され、ＩＣメモリーカード１０３に書き込まれる。
また、音声合成装置本体１２０は、携帯可能な小型なものであり、スピーカ１２１、表示部１２２、ヘッドホン１２３、操作盤１２４、ＩＣメモリーカード挿入口１２５などが配設されており、文字読取装置１１０により冊子原稿のデータが記録されたＩＣメモリーカード１０３をＩＣメモリーカード挿入口１２５に矢印の方向へ装着して、そのデータを読取り、デジタルシグナルプロセッサ（図示せず。）を介して音声としてスピーカ１２１またはヘッドホン１２３より出力するか、あるいは表示素子により表示部１２２に文字を表示する。
【先行技術文献】
【特許文献】
【０００３】
【特許文献１】特開平５−１５９０９４号公報
【発明の概要】
【発明が解決しようとする課題】
【０００４】
しかしながら、特許文献１に記載の文字読取装置は、書籍のすべてのページを走査する必要があるため、ユーザが簡便に書籍の全ページの内容を読取ることができる機能を提供しようとすると、ページをめくる機能などが必要となり、その結果、どうしてもある程度の大型の機構が必要になる。そのため、文字読取装置と音声合成装置を一つの端末内に組み込んだ場合、端末は大型化し、ユーザが用意に携帯できる端末を実現することは困難である。
また、特許文献１に記載の分離型自動読書機によれば、音声による読書機能を利用するには、事前に書籍の文字情報を文字読取装置で読取らせる必要があり、そのため、外出先などで新たに入手した書籍については、一度、書籍の文字情報を読取る文字読取装置が設置されている場所に出向かなければ、音声による情報の提供を受けることができなかった。
【０００５】
本発明は、以上の点に鑑みて創案されたものであり、ユーザが特定の場所に設置されている機器を利用する必要がなく、希望する書籍の音声情報を簡単に入手できる書籍音声情報提供システムを提供することを目的とする。
【課題を解決するための手段】
【０００６】
上記の目的を達成するために、本発明の書籍音声情報提供システムは、書籍に記載された内容の音声情報が記録された書籍音声情報記録手段と、該書籍音声情報記録手段に記録された前記音声情報を要求する要求情報を、音声情報再生手段を有するユーザ端末から通信回線を介して受信する要求情報受信手段と、前記書籍音声情報記録手段に記録された音声情報のうち、前記要求情報受信手段によって受信した要求情報で特定された書籍の音声情報を、前記ユーザ端末に通信回線を介して送信する書籍音声情報送信手段とを有する書籍音声情報管理サーバを備える。
【０００７】
ここで、書籍音声情報記録手段に記録された音声情報のうち、要求情報受信手段によって受信した要求情報で特定された書籍の音声情報を、ユーザ端末に通信回線を介して送信する書籍音声情報送信手段によって、書籍音声情報管理サーバは、ユーザが利用するユーザ端末に、ユーザが要求した書籍の音声情報を送信できる。
【０００８】
また、本発明の書籍音声情報提供システムにおいて、一つの書籍についての音声情報は、ユーザ端末から選択可能に複数の人間の声で構成される場合、例えば、ユーザは、好きな俳優や声優の声による音声情報を楽しむことができる。
【０００９】
また、本発明の書籍音声情報提供システムにおいて、要求情報がユーザの声で構成される場合、例えばユーザが目の不自由な人であっても、ユーザは自らの声で書籍の音声情報を要求できるので、要求が簡単になる。
【００１０】
また、本発明の書籍音声情報提供システムの書籍音声情報管理サーバが、書籍音声情報記録手段に記録された書籍の案内情報を音声でユーザ端末に通信回線を介して送信する書籍音声案内情報送信手段を有する場合、例えばユーザが目の不自由な人であっても、どのような書籍の音声情報を入手できるかを知ることができる。
【００１１】
また、上記の目的を達成するために、本発明の書籍音声情報提供システムは、音声情報再生手段と、書籍に記載された内容の音声情報を要求する要求情報を書籍音声情報管理サーバに通信回線を介して送信する要求情報送信手段とを有するユーザ端末と、書籍に記載された内容の音声情報が記録された書籍音声情報記録手段と、該書籍音声情報記録手段に記録された音声情報のうち、前記要求情報送信手段によって送信された要求情報で特定された書籍の音声情報を、前記ユーザ端末に通信回線を介して送信する書籍音声情報送信手段とを有する書籍音声情報管理サーバとを備える。
【発明の効果】
【００１２】
本発明に係る書籍音声情報提供システムによって、ユーザが特定の場所に設置されている機器を利用する必要がなく、希望する書籍の音声情報を簡単に入手できる。
【図面の簡単な説明】
【００１３】
【図１】本発明の書籍音声情報提供システムの一例を説明する概略図である。
【図２】書籍の印刷文字の情報を読取る文字読取装置の概略図（ａ）と、読取った記載内容を音声で提供する音声合成装置の概略図（ｂ）である。
【発明を実施するための形態】
【００１４】
以下、本発明の実施の形態について図面を参照しながら説明し、本発明の理解に供する。
図１は、本発明の書籍音声情報提供システムの一例を説明する概略図である。図１に示すように、本発明の書籍音声情報提供システム１は、書籍音声情報管理サーバ２と、ユーザが利用する携帯電話機（ユーザ端末の一例である。）３とで構成される。
また、書籍音声情報管理サーバ２は、書籍に記載された文章を人間が朗読して音声化した情報（音声情報）が記録された書籍音声情報データベース（書籍音声情報記録手段の一例である。）４と、書籍音声情報データベース４に記録された書籍の音声情報のうち、携帯電話機３から送信される要求情報で特定された書籍の音声情報を携帯電話機３にインターネット（通信回線の一例である。）９を介して送信する書籍音声情報送信手段５と、書籍音声情報データベース４に記録された書籍の案内情報を音声で携帯電話機３にインターネット９を介して送信する書籍音声案内情報送信手段６とを有する。
また、一つの書籍についての音声情報は、複数の人間例えば俳優や声優の声で構成されており、ユーザは、好きな俳優等の声を選択することができる。
【００１５】
また、携帯電話機３は、書籍音声情報管理サーバ２から送信された音声情報を再生するよう構成された音声情報再生手段７と、書籍に記載された文章の音声情報を要求する要求情報を書籍音声情報管理サーバ２にインターネット９を介して送信する要求情報送信手段８とを有する。
また、要求情報送信手段８によって送信される要求情報は、ユーザの声で構成される。即ち、ユーザは、携帯電話機３を使って口頭で書籍を特定できる。
また、ユーザは、書籍の音声情報を聴いている途中でも、携帯電話機３を操作して、一時停止、早送りもしくは巻戻しができる。
【００１６】
ここで、書籍音声情報管理サーバ２は、書籍音声情報データベース４に記録された書籍の案内情報を音声で携帯電話機３にインターネット９を介して送信する書籍音声案内情報送信手段６を有するが、電子メールによる書籍案内情報を送信することもできる。また、書籍音声情報管理サーバ２は、必ずしも書籍音声案内情報送信手段を有していなくてもよいが、書籍音声案内情報送信手段があれば、例えばユーザが目の不自由な人であっても、どのような書籍の音声情報を入手できるかを知ることができるので好ましい。
また、ユーザ端末の一例として携帯電話機を挙げて説明しているが、必ずしも携帯電話機でなくてもよく、例えば通信可能なパーソナルコンピュータ（ＰＣ）や、携帯電話機以外の携帯可能な通信端末であってもよい。
【００１７】
具体的には例えば、ユーザは、携帯電話機３などを使って、書籍音声情報管理サーバ２によって運営されるウェブサイトにアクセスし、音声情報を聴きたい書籍を検索して、音声情報を携帯電話機３などにダウンロードする。
【００１８】
以上のように、本発明の書籍音声情報提供システムにおいて、ユーザは、携帯電話機３から、書籍音声情報管理サーバ２の書籍音声情報データベース４に記録された書籍の音声情報のうち、聴きたい音声情報を要求する要求情報を書籍音声情報管理サーバ２へ送信し、書籍音声情報管理サーバ２は、書籍音声情報データベース４に記録された書籍の音声情報のうち、携帯電話機３から送信される要求情報で特定された書籍の音声情報を携帯電話機３に送信するので、ユーザが特定の場所に設置されている機器を利用する必要がなく、ユーザは、希望する書籍の音声情報を簡単に入手できる。
【００１９】
また、一つの書籍についての音声情報は、複数の人間例えば俳優や声優の声で構成されており、ユーザは、好きな俳優や声優等の声を選択することができるので、ユーザは、好きな俳優や声優の声による音声情報を楽しむことができる。
また、長時間、目で書籍を読む労力に比べて、耳で書籍の音声情報を聴いた方が疲れにくく、また、同じ空間で多数の人が書籍を楽しむことができる。
【００２０】
また、要求情報送信手段８によって送信される要求情報は、ユーザの声で構成されるので、例えばユーザが目の不自由な人であっても、ユーザは自らの声で書籍の音声情報を要求でき、要求が簡単になる。
【００２１】
また、書籍音声情報管理サーバ２は、書籍音声情報データベース４に記録された書籍の案内情報を音声で携帯電話機３にインターネット９を介して送信する書籍音声案内情報送信手段６を有するので、例えばユーザが目の不自由な人であっても、どのような書籍の音声情報を入手できるかを知ることができる。
【００２２】
また、本発明の書籍音声情報提供システムは、書籍に記載された文章を人間が朗読して音声化した情報を提供するので、音楽配信とは異なり誰の声を使用しても内容に変化がない。
【００２３】
また、音楽著作権は複雑多岐にわたっていて問題が発生しやすいが、書籍の著作権は音楽著作権よりも権利の所在が明確であり、また、権利が消滅している書籍も多いので、音声化を実現しやすい。
【００２４】
また、映画化やドラマ化された書籍であれば、映画やドラマの出演者に依頼して、出演者の声で音声情報を構成すれば、出演者の仕事も広がる可能性がある。
【符号の説明】
【００２５】
１    書籍音声情報提供システム
２    書籍音声情報管理サーバ
３    携帯電話機
４    書籍音声情報データベース
５    書籍音声情報送信手段
６    書籍音声案内情報送信手段
７    音声情報再生手段
８    要求情報送信手段
９    インターネット
【図１】
2010191356.tif 000003
【図２】
2010191356.tif 000004